(57)【要約】【課題】中栓にノズル機能を付与した改ざん防止用のオーバーキャップを提供すること。【解決手段】内栓(10)のノズル状周壁部(13)の先端部分には、天板(15)と天板の下面内側に垂下して形成され、ノズル状周壁部の先端部分と薄肉部(17)を介して連続する再封周壁(16)とからなる再封部材(14)がノズル状周壁部の先端部分の開口部(11)に嵌合可能に形成され、内栓の内壁部には(12)には内壁部から突出して容器本体(40)の口部(41)の内側に嵌め込まれる第２内壁(18)が形成され、オーバーキャップ(30)の中央部分の下面には再封部材(14)が係合可能なキャップ第２周壁(33)が垂設され、キャップ周壁(32)の先端には改ざん防止用リング(35)が薄肉部(36)を介してキャップ周壁と切り取り可能に形成されている。【選択図】図１
2005206205.tif 000002
【特許請求の範囲】
【請求項１】
容器本体の口部に係合される、中央に開口部を有する内壁部と該内壁部の開口部から突出して形成されたノズル状周壁部からなる内栓と、該内栓を覆い、内栓の内壁部外周に係合される、キャップ天板と該キャップ天板の周縁から垂下して設けられるキャップ周壁を具備したオーバーキャップとからなる改ざん防止用キャップにおいて、
前記内栓のノズル状周壁部の先端部分には、天板と天板の下面内側に垂下して形成され、ノズル状周壁部の先端部分と薄肉部を介して連続する再封周壁とからなる再封部材がノズル状周壁部の先端部分の開口部に嵌合可能に形成され、
前記内栓の内壁部には内壁部から突出して容器本体の口部の内側に嵌め込まれる第２内壁が形成され、
前記オーバーキャップの中央部分の下面には再封部材が係合可能なキャップ第２周壁が垂設され、
キャップ周壁の先端には、改ざん防止用リングが薄肉部を介してキャップ周壁と切り取り可能に形成されていることを特徴とする、改ざん防止用オーバーキャップ。
【請求項２】
前記再封部材の天板の上面中央部分には嵌合突起が形成され、前記オーバーキャップのキャップ天板の中央部分には嵌合突起と嵌合可能な嵌合孔が形成されていることを特徴とする、請求項１記載の改ざん防止用オーバーキャップ。
【請求項３】
前記内栓の内壁部先端部分と、前記オーバーキャップのキャップ周壁の先端部分ならびに先端外周に形成された改ざん防止用リングとは、同口径に形成されていることを特徴とする、請求項１又は２記載の改ざん防止用オーバーキャップ。
【発明の詳細な説明】
【技術分野】
【０００１】
本発明は、容器口部を密封するためのオーバーキャップに関するものであり、特には、内栓とオーバーキャップの２部材からなる改ざん防止用のオーバーキャップに関する。
【背景技術】
【０００２】
従来、容器口部を密封するための合成樹脂製のオーバーキャップ（１００）としては、図５に示すような形態のものが一般的に使用されていた。すなわち、容器本体（１０１）の口部（１０２）に係合されたプルリング（１０３）付きの中栓（１０４）と、この中栓を覆い、容器本体の肩部（１０５）に係合されたキャップ（１０６）とから成るものであった。そして、オーバーキャップ部分を、あるいは、オーバーキャップ部分を含めた容器本体全体をシュリンクフィルムで包んで店頭での改ざん防止をしていた。
【０００３】
このように、従来の合成樹脂製のオーバーキャップ（１００）は、オーバーキャップ自体に改ざん防止機能が付与されていないため、シュリンクフィルムでラッピングするという別工程が必要になったり、中栓にノズル機能が付与されていないため、使いにくく内容物によっては液だれを生じる等の問題があった。
【発明の開示】
【発明が解決しようとする課題】
【０００４】
本発明は、合成樹脂製のオーバーキャップに関する以上のような問題に鑑みてなされたもので、中栓にノズル機能が付与された改ざん防止用のオーバーキャップを提供することを課題とする。
【課題を解決するための手段】
【０００５】
本発明の請求項１の発明は、容器本体の口部に係合される、中央に開口部を有する内壁部と該内壁部の開口部から突出して形成されたノズル状周壁部からなる内栓と、該内栓を覆い、内栓の内壁部外周に係合される、キャップ天板と該キャップ天板の周縁から垂下して設けられるキャップ周壁を具備したオーバーキャップとからなる改ざん防止用オーバーキャップにおいて、前記内栓のノズル状周壁部の先端部分には、天板と天板の下面内側に垂下して形成され、ノズル状周壁部の先端部分と薄肉部を介して連続する再封周壁とからなる再封部材がノズル状周壁部の先端部分の開口部に嵌合可能に形成され、前記内栓の内壁部には内壁部から突出して容器本体の口部の内側に嵌め込まれる第２内壁が形成され、前記オーバーキャップの中央部分の下面には再封部材が係合可能なキャップ第２周壁が垂設され、キャップ周壁の先端には、改ざん防止用リングが薄肉部を介してキャップ周壁と切り取り可能に形成されていることを特徴とする、改ざん防止用オーバーキャップである。
【０００６】
このように請求項１記載の発明によれば、キャップ周壁の先端には、改ざん防止用リングが薄肉部を介してキャップ周壁と切り取り可能に形成されているので、キャップには改ざん防止機能が付与されている。
【０００７】
また、内栓のノズル状周壁部の先端部分には、天板と天板の下面内側に垂下して形成され、ノズル状周壁部の先端部分と薄肉部を介して連続する再封周壁とからなる再封部材がノズル状周壁部の先端部分の開口部に嵌合可能に形成され、前記内栓の内壁部には内壁部から突出して容器本体の口部の内側に嵌め込まれる第２内壁が形成され、前記オーバーキャップの中央部分の下面には再封部材が係合可能なキャップ第２周壁が垂設されているので、改ざん防止用リングをキャップ周壁から引きちぎった後、キャップ天板を押し込みオ
ーバーキャプを閉め込むと、再封部材の再封周壁は薄肉部が切断されてノズル状周壁部の先端部分から切り離されて再封部材はキャップ第２周壁に嵌合され、オーバーキャップを引き上げると、内栓のノズル状周壁部の先端部分は再封部材が離れて開口し、容器本体に収容してある内容物はノズル状周壁部から容易に注ぎ出すことができ液ダレが発生することもない。
【０００８】
また、請求項２の発明は、請求項１の発明において、前記再封部材の天板の上面中央部分には嵌合突起が形成され、前記オーバーキャップのキャップ天板の中央部分には嵌合突起と嵌合可能な嵌合孔が形成されていることを特徴とする、改ざん防止用オーバーキャップである。
【０００９】
このように請求項２記載の発明によれば、再封部材の天板の上面中央部分には嵌合突起が形成され、前記オーバーキャップのキャップ天板の中央部分には嵌合突起と嵌合可能な嵌合孔が形成されているので、オーバーキャップを引き上げた際、再封部材がオーバーキャップから抜け落ちるようなことはない。
【００１０】
また、請求項３の発明は、請求項１又は２の発明において、前記内栓の内壁部先端部分と、前記オーバーキャップのキャップ周壁の先端部分ならびに先端外周に形成された改ざん防止用リングとは、同口径に形成されていることを特徴とする、改ざん防止用オーバーキャップである。
【００１１】
このように請求項３記載の発明によれば、内栓の内壁部先端部分と、前記オーバーキャップのキャップ周壁の先端部分ならびに先端外周に形成された改ざん防止用リングとは、同口径に形成されているので、内栓とオーバーキャップと改ざん防止用リングとは一体感があり、握持しても違和感を感じることがない。
【発明の効果】
【００１２】
このように本発明の改ざん防止用オーバーキャップは、つぎのような効果がある。すなわち、シュリンクフィルムを使用せずに内栓とオーバーキャップの２部材で店頭での改ざん防止（オーバーキャップが開栓されているか否か）と商品としての改ざん防止（密封部分が開封されているか否か〜ノズル状周壁部の薄肉部）が可能になる。また、注ぎ口をノズル状にすることにより調味料等の粘度のある内容物にも対応できる。
【発明を実施するための最良の形態】
【００１３】
本発明の改ざん防止用オーバーキャップを一実施形態に基づいて以下に詳細に説明する。
【００１４】
本発明の改ざん防止用オーバーキャップ（１）は、例えば、図１に示すように、容器本体（４０）の口部（４１）に係合される、中央に開口部（１１）を有する内壁部（１２）と該内壁部の開口部から突出して形成されたノズル状周壁部（１３）からなる内栓（１０）と、該内栓を覆い、内栓の内壁部外周に係合される、キャップ天板（３１）と該キャップ天板の周縁から垂下して設けられるキャップ周壁（３２）を具備したオーバーキャップ（３０）とからなるもので、一般的には、ポリプロピレンなどの剛性を有する熱可塑性樹脂を射出成形して作製するものである。
【００１５】
そして、内栓（１０）のノズル状周壁部（１３）の先端部分には、再封部材（１４）がノズル状周壁部の先端部分の開口部（１１）に嵌合可能に形成されている。
【００１６】
再封部材（１４）は、天板（１５）と天板の下面内側に垂下して形成され、ノズル状周壁部（１３）の先端部分と薄肉部（１７）を介して連続する再封周壁（１６）とから構成
されている。
【００１７】
また、内栓（１０）の内壁部（１２）には内壁部から突出して容器本体の口部の内側に嵌め込まれる第２内壁（１８）が形成されている。
【００１８】
オーバーキャップ（３０）の中央部分の下面には再封部材（１４）が係合可能なキャップ第２周壁（３３）が垂設され、キャップ周壁の先端（３４）には、改ざん防止用リング（３５）が薄肉部（３６）を介してキャップ周壁（３２）と切り取り可能に形成されている。
【００１９】
内栓（１０）の内壁部先端部分（１９）と、オーバーキャップ（３０）のキャップ周壁の先端部分（３４）ならびに先端外周に形成された改ざん防止用リング（３５）とは、同口径に形成されていることが好ましい。
【００２０】
同口径に形成されていることで、内栓とオーバーキャップと改ざん防止リングとは一体感が生まれ、見栄えも良いし握持しても違和感を感じることがない。
【００２１】
内栓（１０）とオーバーキャップ（３０）、あるいは、内栓（１０）と口部（４１）とは、螺子、アンダーカット等公知の手段により嵌め外し可能に係合される。
【００２２】
図２は、容器本体に嵌め込んだ本発明の改ざん防止用オーバーキャップを取り外す手順を示す説明図である。
【００２３】
先ず、キャップ周壁先端（３４）に薄肉部（３６）を介して形成されている改ざん防止リング（３５）を手で切り離す（図２（ａ）参照）。キャップ周壁先端（３４）と改ざん防止リング（３５）とは薄肉部（３６）で繋がっているのみなので容易に手で切り離すことができる。
【００２４】
改ざん防止リング（３５）が無くなった分オーバーキャップ（３０）をキャップ天板（３１）を内側に押し込むように閉め込む。内栓（１０）のノズル状周壁部（１３）の先端部分に薄肉部（１７）を介してつながっている再封部材（１４）が薄肉部（１７）から切断され、再封部材（１４）はノズル状周壁部（１３）の開口部分に嵌まる（図２（ｂ）参照）。
【００２５】
オーバーキャップ（３０）を持ち上げるように外すと、内栓の再封部材（１４）は、キャップ天板（３１）に形成されたキャップ第２周壁（３３）に嵌合してオーバーキャップ（３０）と同時に外れ開口部（１１）が露出する（図２（ｃ）参照）。
【００２６】
ノズル状周壁部（１３）が内壁部（１２）から突出して形成されているので、容器本体（４０）に収容されている液体などの内容物は、容器本体を傾けることにより口部（４１）から容易に外部に注ぎ出すことができる。液ダレが発生することもない。
【００２７】
再封部材（１４）の天板（１５）の上部中央部分に嵌合突起（２０）を形成させ、また、オーバーキャップ（３０）のキャップ天板（３１）の中央部分に嵌合突起（２０）と嵌合可能な嵌合孔（３７）を形成させた構造とすることもできる（図３、図４参照）。
【００２８】
このような構造にすることにより、改ざん防止用リング（３５）を外してオーバーキャップ（３０）を押し込んだ際、再封部材（１４）はキャップ第２周壁（３３）に嵌合すると同時にキャップ天板（３１）に設けた嵌合孔（３７）にも嵌合突起（２０）を介して嵌合して、オーバーキャップ（３０）を引き上げるように取り外した際、再封部材（１４）
がオーバーキャップ（３０）から抜け落ちる可能性はさらに少なくなる。
【図面の簡単な説明】
【００２９】
【図１】本発明の改ざん防止用オーバーキャップを容器本体に嵌め込んだ状態の一実施例を示す、断面説明図である。
【図２】図１の容器本体に嵌め込んだ本発明の改ざん防止用オーバーキャップを取り外す手順を示す、（ａ）は改ざん防止用リングを外した状態を示す説明図であり、（ｂ）はオーバーキャップを締めこんで再封部材をノズル状周壁部に押し込み薄肉部を切断した状態を示す説明図であり、（ｃ）はオーバーキャップを押し上げ開封した状態を示す説明図である。
【図３】本発明の別の改ざん防止用オーバーキャップを容器本体に嵌め込んだ状態の実施例を示す、断面説明図である。
【図４】図３の容器本体に嵌め込んだ本発明の別の改ざん防止用オーバーキャップを取り外す手順を示す、（ａ）は改ざん防止用リングを外した状態を示す説明図であり、（ｂ）はオーバーキャップを締めこんで再封部材をノズル状周壁部に押し込み薄肉部を切断した状態を示す説明図であり、（ｃ）はオーバーキャップを押し上げ開封した状態を示す説明図である。
【図５】従来のオーバーキャップを容器本体に嵌め込んだ状態を示す、説明図である。
【符号の説明】
【００３０】
１‥‥改ざん防止用オーバーキャップ
１０‥‥内栓
１１‥‥開口部
１２‥‥内壁部
１３‥‥ノズル状周壁部
１４‥‥再封部材
１５‥‥天板
１６‥‥再封周壁
１７‥‥薄肉部
１８‥‥第２内壁
１９‥‥内壁部先端部分
２０‥‥嵌合突起
３０‥‥オーバーキャップ
３１‥‥キャップ天板
３２‥‥キャップ周壁
３３‥‥キャップ第２周壁
３４‥‥キャップ周壁先端
３５‥‥改ざん防止用リング
３６‥‥薄肉部
３７‥‥嵌合孔
４０‥‥容器本体
４１‥‥口部
１００‥‥オーバーキャップ
１０１‥‥容器本体
１０２‥‥口部
１０３‥‥プルリング
１０４‥‥中栓
１０５‥‥肩部
１０６‥‥キャップ
【図１】
2005206205.tif 000003
【図２】
2005206205.tif 000004
【図３】
2005206205.tif 000005
【図４】
2005206205.tif 000006
【図５】
2005206205.tif 000007